(57)【要約】【課題】１回で使い切ることが出来る消毒液と衛生材料を組み合わせた消毒用キットを提供することを目的とする。【解決手段】剥離可能な弱シールによって少なくとも２つの収納室に区分された包装袋に、剛性を有する把持部と薬液含浸部とを備えた衛生材料、および消毒薬が分離して収納されてなる消毒薬用キットであって、前記薬液含浸剤が前記把持部よりも前記弱シール部に近接して収納されると共に、前記弱シール部は前記薬液含浸部によって剥離可能とされていることを特徴とする消毒薬用キットである。【選択図】図１
2004001784.tif 000002
【特許請求の範囲】
【請求項１】
剥離可能な弱シールによって少なくとも２つの収納室に区分された包装袋に、剛性を有する把持部と薬液含浸部とを備えた衛生材料、および消毒薬が分離して収納されてなる消毒薬用キットであって、前記薬液含浸部が前記把持部よりも前記弱シール部に近接して収納されると共に、前記弱シール部は前記薬液含浸部によって剥離可能とされていることを特徴とする消毒薬用キット。
【請求項２】
前記衛生材料が綿棒である請求項１記載の消毒薬用キット。
【請求項３】
少なくとも前記薬液含浸部は滅菌状態に保持されたものである請求項１または２記載の消毒薬用キット。
【請求項４】
一方の収納室に充填されている消毒薬がポピドンヨード、イソプロパノール、エタノール及びグルコン酸クロルヘキシジンから成る群から選ばれる薬剤を少なくとも１種類含む消毒薬である請求項１〜３項の何れかの項記載の消毒薬用キット。
【請求項５】
請求項１〜４のいずれかの項記載の消毒薬用キットを用いて消毒薬含浸衛生材料を調製する方法であって、把持部を摘んで薬液含浸部を押し込むことで弱シール部を剥離して薬液含浸部に消毒薬を含浸させる消毒薬含浸衛生材料の調整方法。
【請求項６】
前記消毒薬用キットの一部を開封した後、把持部を摘み、衛生材料を押し込むことで弱シール部を剥離する請求項５記載の消毒薬含浸衛生材料の調整方法。
【発明の詳細な説明】
【０００１】
【発明の属する技術分野】
本発明は、消毒薬と衛生材料を組み合わせた消毒薬用キット及び該キット内に収納されている衛生材料に消毒薬を含浸させる消毒薬含浸衛生材料の調整方法に関するものであり、さらに詳述すれば、複数の室に区分された包装袋のそれぞれの室に消毒薬と衛生材料とを収納し、使用時に連通させて衛生材料に消毒液を含浸して使用することができる消毒用キット及び消毒薬含浸衛生材料の調整方法に関する。
【０００２】
【従来技術とその問題点】
病院等で患部への消毒を行う場合、衛生材料（綿棒、綿球、ガーゼ、脱脂綿等）に消毒薬（消毒用アルコール、ポピドンヨード、グルコン酸クロルヘキシジン等）をしみ込ませて、患部へ塗布するが、通常衛生材料と消毒薬は別々の容器に入れられ、使用時に必要量を万能ツボ等に移し入れて使用しており、これでは万能ツボの洗浄、滅菌など操作が煩瑣である。また、使い捨て容器に衛生材料を収納し、消毒薬を衛生材料に含浸させるものもあるが、消毒薬を過剰に添加しなければならないので経済的でなく、内容量の大きいものは使い切るまでに複数回容器蓋の開閉操作をすることになり、安全衛生性に懸念が残る。このような観点から、一回使用分の衛生材料に消毒薬を含浸させたものが提案されているが、そのようなものは通常の包装袋に収納されており、衛生材料全体に消毒薬が染みわたるように過剰の消毒薬が添付されている場合が多く、経済的でないと同時に、開封時に医師や看護婦等の手や指に消毒薬が付着しやすいという取扱い上の煩わしさがあった。
【０００３】
【発明が解決しようとする課題】
従って、本発明の目的は、簡易な包装袋に収納されたものであっても、医師や看護婦等の手や指に消毒薬が付着することなく、一回使用分の衛生材料と消毒薬を供給し、使用時に衛生材料に消毒薬を含浸して使用することが出来る消毒用キット及び消毒薬含浸衛生材料の調製方法を提供する。
【０００４】
【課題を解決するための手段】
本発明の要旨は、剥離可能な弱シールによって少なくとも２つの収納室に区分された包装袋に、剛性を有する把持部と薬液含浸部とを備えた衛生材料、および消毒薬が分離して収納されてなる消毒薬用キットであって、前記薬液含浸部が前記把持部よりも前記弱シール部に近接して収納されると共に、前記弱シール部は前記薬液含浸部によって剥離可能とされていることを特徴とする消毒薬用キットであり、また、前記消毒薬用キットを用いて消毒薬含浸衛生材料を調製する方法であって、把持部を摘んで薬液含浸部を押し込むことで弱シール部を剥離して薬液含浸部に消毒薬を含浸させる消毒薬含浸衛生材料の調整方法である。
即ち、本発明は消毒薬と衛生材料とを別個の室に収納し、使用時に両者の室を連通し衛生材料に消毒液が含浸出来るようにした消毒用キット及び消毒薬含浸衛生材料の調整方法である。
【０００５】
【発明の実施の形態】
以下、本発明について詳細に述べる。
本発明の消毒用キットを構成する包装袋のシート又はフィルム（以下、単にシートという）は少なくとも一面が熱接着性を有するシートを使用する。具体的には例えば、ポリエチレン又はポリプロピレン等のポリオレフィンの単体や積層体のシート、或いはこれらにポリエステル（ＰＥＴ）やポリアミド等の延伸シートやアルミ箔やシリカ蒸着層、エチレンービニルアルコール共重合体やポリ塩化ビニリデン（ＰＶＤＣ）などのガスバリア層などを積層した積層材である。
そして、少なくとも消毒薬を収納する室は消毒薬が揮散しない様に、例えば４０℃，７５％Ｒｈ環境下、１ヶ月保存されたときその内容物の重量変化が１０％以内に抑えることが出来るものが好ましい。具体的にはアルミ箔、アルミ、アルミナやシリカの蒸着フィルムが使用される。或いはシール層を厚くしても良い。但し、シール層を厚くすると薬剤によってはシール層に吸着される場合があるので、そのような場合にはシール層としてポリプロピレンや高密度ポリエチレンを選択することが好ましい。
【０００６】
薬剤を収納してある室と衛生材料を収納してある室とを区分している剥離可能な弱シール部を形成する方法としてはイージーピール性フィルムを使用する方法や周縁部のシールと温度や圧力などのシール条件を変える方法など公知の方法を採用することができる。
そして、この弱シール部は衛生材料の薬液含浸部を弱シール部に挿入することで剥離する程度のシール強度であることが好ましい。このようなシール強度は通常のイージーピールに適用されるシール強度、すなわちＺ−０２３８に基づいて測定したシール強度が１〜２５Ｎ／１５ｍｍ程度であるが、包装袋の大きさや把持部の剛性によってはそれよりも多少強くても剥離可能である。シール強度を弱く設定すると剥離は容易となるが、消毒用キットとして輸送する時の衝撃等によって不用意に剥離してしまう場合がある。そのような場合は、弱シール部と衛生材料が収納されている室の間で包装袋を折り畳んで梱包することによって不用意な弱シール部が剥離しないので望ましい。この室に収納される消毒液としては特に制限がなく、通常消毒薬として使用されているもので良いが、例えば、ポピドンヨード、イソプロパノール、エタノール、グルコン酸クロルヘキシジンを少なくとも１種類含むものであることが好ましい。そして、収納量としては１回で使い切る程度の量であることが好ましい。
【０００７】
また、衛生材料としては綿球、ガーゼ、綿棒等何れでもよいが、剛性を有する把持部を有するものである。そのようなものとしては代表的には綿棒が挙げられる。例えば、綿棒の場合であれば、消毒液が収納されている室側に綿の部分（薬液含浸部）を向けて、配置しておくことによって、消毒薬との連通部（弱シール部）を薬液含浸部で突き破ることができる。薬液含浸部で突き破る際、把持部が剛性を有するものであれば指で摘んで押すことが出きるので指に消毒薬が付着しない。衛生材料が収納される室は把持部付近の室内空間が狭くなっていると、連通時、消毒薬の飛び散りを抑えた構造となるので好ましい。
【０００８】
本発明にかかる消毒用キットを使用するに際しては衛生材料が充填されている収納室にノッチを設け、このノッチより包装袋を切断把持部を摘んで薬液含浸部を弱シールに向かって押圧することによって弱シールを剥離して消毒薬収納室に連通し、衛生材料に消毒薬を含浸させる。ノッチを設ける場合は、把持部の端部近傍に設けることが好ましく、これによって、開封時把持部の一部が外に出て、薬液が含浸された衛生材料を容易に取り出すことが出来る。
【０００９】
また、消毒用キットを収納する包装袋の周縁部のシールをイージーピールとすることも好ましい。この場合、衛生材料を収納している室と消毒液を収納している室との間の弱シール部と同程度、もしくは、やや強シールにすることが好ましい。
そして、包装袋の衛生材料が収納されている側の端部の一部を未シ−ル部としておくと好ましい。このように構成にすると未シール部から包装袋をピールオープンすることができ、把持部を摘んで押すことで弱シールを剥離し、薬液含浸部に消毒薬を含浸させた後、更に剥離を進めることで薬液が含浸された衛生材料を容易に取り出すことができる。
なお、未シール部とノッチの両方を設けておいてもよい。
本発明の消毒薬用キットの寸法としては特に制限はなく、収納する内容品に応じて種々選択できる。例えば綿棒を収納する場合、一回で使い切る量が収納されることから、縦１０〜１００ｍｍ、横５０〜３００ｍｍの包装袋を用いる程度の大きさである。この包装袋を２室に区分し、その一方に長さ５０〜１５０ｍｍ程度、最大直径５〜２０ｍｍの綿棒を一回で使い切れる程度の量、即ち１〜３本程度入れる。他方の室には消毒剤を綿棒１本当たり０．５〜３ｃｃ入れることが好ましい。
【００１０】
【実施例及び比較例】
以下、実施例として図面を以て更に具体的に説明する。
実施例１
図１は、本発明の消毒薬用キットの一例である。ＰＥＴ／アルミ箔／ＬＬＤＰＥのラミネートフィルムの周縁部１を５ｍｍ幅でシールして外寸縦４０ｍｍ、横１５０ｍｍの包装袋とし、内寸３０ｍｍ×３０ｍｍの消毒薬が充填されている室２と、長さ８０ｍｍ、綿部５ｍｍからなる綿棒を収納している室４とをポリプロピレンとポリエチレンとのブレンド成分からなる単層のイージーピールテープ３によって区分する。イージーピールテープ３によるシール部は弱シールになっており、２室の連通を可能にしている。消毒薬充填室２には１０％ポビドンヨード溶液１ｍｌを充填し、綿棒収納室４には綿棒１本を入れた。綿棒の寸法は長さ８０ｍｍ、綿部の直径が５ｍｍであった。使用時まずノッチ部５から開封することにより綿棒が一部露出するのでこの部分を持って弱シール部に突き刺すことにより綿棒が弱シール部を突き抜け、消毒薬を浸すことができる。また綿棒側の周縁シールを広幅シール６にすることにより連通時、消毒薬が飛び散ることを防ぐことができる。但し、一番狭い場所でも綿棒の一番径の太い部分より少し広い大きさにしてあるので、綿棒をそのまま引き出せば使用することができる。
【００１１】
実施例２
図２は、実施例１と同じ包材を用いて同じ外寸の包装袋よりなり、実施例１と同様の寸法を有する消毒薬充填室２を有する。ただ、包装袋は包材としてＰＥＴ／アルミ箔／ＰＥ系イージ−ピールフィルム７を使用し、その周縁部シール及び消毒薬充填室２と衛生材料収納室４との弱シール部９は弱シールとなした。消毒薬充填室２には０．０２％グルコン酸クロルヘキシジン溶液１ｍｌを充填し、衛生材料収納室４には長さ８０ｍｍ、綿部の直径が５ｍｍの綿棒１本をいれた。このキットにはシートの一部に気体を通すが菌を通さない程度の通気度を有する不織布で覆った開口部を設け、エチレンオキサイド滅菌を施してある。使用時は、開口部１１よりシートを引っ張るとイージーピール部１０が、剥離して開口し、綿棒の一部が露出する。従って、この部分を摘んで弱シール部９を剥離、連通させ綿部に消毒薬を含浸させる。その後、さらに剥離を進めて綿棒を引き出せば使用することができる。
【００１２】
実施例３
シリカ蒸着ＰＥＴ／ＬＬＤＰＥ積層シートを外寸５０ｍｍ×１７０ｍｍの包装袋とし、４０ｍｍ×３０ｍｍの寸法を有する消毒薬充填室２を設ける。この包装袋に、綿棒の長さ１００ｍｍ、綿部の直径１０ｍｍの綿棒を入れ、綿棒充填後電子線滅菌を行い、その後消毒薬充填室２に７０％イソプロパノール溶液１．５ｍｌを充填した。
この包装袋よりなる消毒薬キットを図３に示すように、折り込んで梱包することよって輸送中の不用意な２室連通を防止することができた。
【００１３】
実施例４
消毒薬として７０％エタノール溶液を使用した以外は実施例３と全く同じ寸法を有する消毒薬用キットであった。
実施例５
ＰＥＴ／アルミ／ＰＥ系イージーピールフィルムよりなるラミネートフィルムを用い、外寸縦１００ｍｍ、横３００ｍｍの包装袋とし、内寸９０ｍｍ×３０ｍｍの消毒薬充填室２に、１０％ポピドンヨード溶液４．５ｍｌを充填し、長さ２００ｍｍ、綿部直径１０ｍｍからなる綿棒を３本挿入した衛生材料収納室４からなる消毒薬用キットを作成した。消毒薬充填室２と衛生材料収納室４との区分のシール部及び包装袋の周縁部のシール部は実施例２の場合と同様にヒートシール温度でシール強度の調整を行った。
【００１４】
【発明の効果】
以上述べたように本発明の消毒薬用キットは消毒薬充填室と衛生材料収納室とを弱シールによって区分し、使用時両室の境を剥離して両者を連通することによって手や指に消毒薬を付着させることなく、衛生材料に消毒薬を含浸させることが出来るのでその操作は極めて簡単であり、過剰な消毒薬を添付する必要がないので経済的である。しかも消毒薬を含浸させるまで外気に曝されず、又、１回で使い切るので衛生的である。
【図面の簡単な説明】
【図１】本発明にかかるキットの一例を示す。
【図２】本発明にかかる他のキットの例を示す。
【図３】本発明にかかる他のキットの例を示す。ａは平面図、ｂは側面図を表す。
【符号の説明】
１　周縁シール部　　　２　消毒薬充填室
３　イージーピールテープ（弱シール部）　　　４　綿棒収納室
５　ノッチ部　　　６　綿棒側の広幅シール部
７　イージーピールフィルム　　　９　弱シール部
１０　イージーピール部　　　１１　開口部
【図１】
2004001784.tif 000003
【図２】
2004001784.tif 000004
【図３】
2004001784.tif 000005